(57)【要約】【課題】この発明は、ケース入りのコンパクトディスク等を立てた状態で保持し、かつディスクケースが１枚用でも２枚用でも個別に支持することのできるようにすることを課題とするものである。【解決手段】この発明のディスクラックは、収納すべきディスクのケース周面を保持する２本以上の横桟２と、この横桟を取り付ける端板１と、前記横桟に装着されたスペーサー６とよりなり、前記スペーサーは、前記横桟に装着される筒状部と、この筒状部の端部に形成され前記ディスクの側壁に接する鍔５とを有し、前記筒状部の長さは前記ディスク１枚用のケースの厚さと同等として構成する。【特許請求の範囲】
【請求項１】
収納すべきディスクのケース周面を保持する２本以上の横桟と、この横桟を取り付ける端部材と、前記横桟に装着されたスペーサーとよりなり、
前記スペーサーは、前記横桟に装着される筒状部と、この筒状部の端部に形成され前記ディスクの側壁に接する鍔とを有し、前記筒状部の長さは前記ディスク１枚用のケースの厚さと同等とした、
ディスクラック
【請求項２】
横桟と端部材とは着脱自在とした、請求項１記載のディスクラック
【発明の詳細な説明】
【０００１】
【産業上の利用分野】
この発明は、コンパクトディスク、ミニディスクなどを整理収納するためのディスクラックに関するものである。
【０００２】
【従来の技術】
従来、複数本の縦桟に数個の弾性リングを取り付け、この弾性リングによってコンパクトディスクなどを保持するようにしたディスクラックは提案されている（実開平６−３１５４４号）。
上記従来のラックは、弾性リングによってコンパクトディスクなどを水平状態で保持するものであり、かつ弾性リングによって直接支持したディスクの上に複数枚のディスクを重ねて載せるようにしたものであった。
【０００３】
上記従来の技術においては、ディスクを水平状態で保持するものであるが、コンパクトディスクは、通常ケースの背部分にタイトルが縦に表示されており、縦に収納するほうがタイトルを読みやすく好ましい。
しかしながら、上記従来のラックを横向きに置いてディスクを縦に収納しようとすると、ディスクが傾いてしまう。
【０００４】
【発明が解決しようとする課題】
この発明は、ケース入りのコンパクトディスク等を立てた状態で保持し、かつディスクケースが１枚用でも２枚用でも個別に支持することのできるようにすることを課題とするものである。
【０００５】
【課題を解決するための手段】
この発明のディスクラックは、収納すべきディスクのケース周面を保持する２本以上の横桟と、この横桟を取り付ける端部材と、前記横桟に装着されたスペーサーとよりなり、前記スペーサーは、前記横桟に装着される筒状部と、この筒状部の端部に形成され前記ディスクの側壁に接する鍔とを有し、前記筒状部の長さは前記ディスク１枚用のケースの厚さと同等としたものである。
前記横桟は、ディスクのケースが安定して保持されるように配設してあれば、その具体的な態様、数は問わない。また、スペーサーは全ての横桟に装着する必要はない。例えば横桟は５本としてそのうち２本にのみスペーサーを装着してもよい。
前記横桟と端部材とは着脱自在としておき、使用者がスぺーサーの向きを自由に変更できるようにすることが好ましい。
前記端部材は、横桟を指示し得る構成であれば良く、実施形態に示すような「板」である必要はない。多角形又は円形などの枠体で構成することもできる。
【０００６】
【作用】
この発明によれば、スペーサーの筒状部の長さがディスクのケースの厚さと同等としてあるので、隣接するスペーサーを同じ向きとして横桟に装着すると、両スペーサーの鍔の間隔はディスク１枚用のケースに対応するものとなり、隣接するスペーサーを対向して横桟に装着すると、両スペーサーの鍔の間隔はディスク２枚用のケースに対応するものとなる。
このように、この発明においてはスペーサーの向きを変えることにより、１枚用、２枚用いずれのケースにも対応できる。
【０００７】
【発明の実施の形態】
方形の端板１，１間に３本の横桟２，３，４が互いに並行に取り付けてあり、各横桟２，３，４に鍔５を有するスペーサー６が装着してある。
前記横桟２，３，４は共同してコンパクトディスク（ＣＤ）のケース７の周面を保持するようにしてあり、具体的には、横桟２、３，４はそれぞれＣＤケース７の両側面と底面を保持するようにしてある。そして、ＣＤケース７の両側面に対応して、前記横桟２，４に加えて補助横桟８、９が配設してある。
【０００８】
前記横桟２，３，４は何れも端部にネジ部１０が形成してあり、このネジ部１０を前記端板１の透孔１１に挿入し、袋ナット１２で締め付けてある。そして、前記補助横桟８，９は端板１に形成した受け穴１３に挿入係止してある。
【０００９】
前記スペーサー６の筒状部は、ＣＤケース７の厚さと同等な長さであり、横桟に着脱自在としてある。したがって、複数のスペーサー６を同じ方向を向けて横桟に取り付けたときには、隣接する鍔５，５の間隔が１枚用のＣＤケースの厚さに対応し、２つのスペーサーを対向して横桟に取り付けたときには、隣接する鍔５，５の間隔が２枚用のＣＤケースの厚さに対応することとなる。
【００１０】
この実施形態では前記補助桟８，９にはスペーサーを取り付けていないが、補助横桟にもスペーサーを取り付けてもよい。また、補助横桟を設けることによりＣＤケースの載置状態が安定するが、補助横桟を設けなくとも良い。
【００１１】
この実施形態のＣＤラックは、通常は図に示すように横向きに置いて使用するが、縦に置いて使用することもできる。
図５はスペーサー６の別の実施形態を示すものであり、下側面にスリット６ａが設けてあり、弾性変形により横桟に着脱できるようにしてある。
スペーサー６を横桟に着脱可能とすれば、横桟と端板とは着脱自在としなくともよい。
【００１２】
【発明の実施の形態２】
図６は別の実施の形態であり、端板１、１の間に２本の横桟２，３を配設したものである。この横桟２本は、図に示すようにＣＤケース７の隣接する２縁を保持するようにしてある。
前記横桟にスペーサー６が取り付けてあることは、上記実施形態１と同様である。
【００１３】
上記においてはＣＤケースを例として説明したが、ＣＤケースに限られることなく、ＭＤケース、ＤＶＤケース、ＦＤケース、ビデオテープケースその他種種のケースを整理整頓するためのラックとして使用することができる。その場合、適用するケースの大きさに対応して全体の大きさ、スリーブの大きさなどを設定することはもちろんである。
【００１４】
【発明の効果】
この発明によれば、簡易な構造のラックを得ることができる。そして、スリーブの向きを選択することにより、１枚用のケースと２枚用のケースの双方に適合させることができる。
【図面の簡単な説明】
【図１】この発明実施形態１の斜視図
【図２】同じく正面図
【図３】同じく平面図
【図４】同じくスペーサーの斜視図
【図５】スペーサーの別の実施形態の底面側斜視図
【図６】この発明の別の実施形態の斜視図
【符号の説明】
１　　端板
２，３，４　横桟
５　　鍔
６　　スペーサー
６ａ　スリット
７　　ＣＤケース
８、９　　補助横桟
１０　　ネジ部
１１　　透孔
１２　　袋ナット
１３　　受け穴
【図１】
2004075113.tif 000002
【図２】
2004075113.tif 000003
【図３】
2004075113.tif 000004
【図４】
2004075113.tif 000005
【図５】
2004075113.tif 000006
【図６】
2004075113.tif 000007